(57)【要約】【課題】獣毛と先端をテーパー化した合成樹脂製筆毛とを混毛したものの場合、獣毛ゆえの欠点を合わせ持たざるを得ず、又、クリンプの波長が各々相違する多数の合成樹脂製筆毛よりなるものの場合、空間率が大きくなり易く、穂先が広がりすぎて、穂先のまとまりが劣るといった問題を有していた。また、４種のテーパー長さの違うポリエステル繊維よりなる筆穂は、全てストレートであって先端をテーパー化した繊維を用いるため穂先のまとまりは良いが、筆毛が密集過ぎて、化粧料の保持性が悪く、塗布時の肌当たりもハードになり使用感が悪いといった問題が残されていた。【解決手段】ストレートな筆毛とクリンプを有する筆毛を混毛してなる筆穂であって、前記ストレートな筆毛が５〜３０重量％であり、また、クリンプを有する筆毛が７０〜９５％である筆穂。【選択図】  なし【特許請求の範囲】
【請求項１】
ストレートな筆毛とクリンプを有する筆毛を混毛してなる筆穂であって、前記ストレートな筆毛を５〜３０重量％とすると共に、クリンプを有する筆毛を７０〜９５％としたことを特徴とする筆穂。
【請求項２】
前記クリンプを有する筆毛は、クリンプ間のピッチが１．５ｍｍ〜３．５ｍｍであり、また、クリンプ高さが０．０４ｍｍ〜０．１０ｍｍであることを特徴とする請求項１記載の筆穂。
【発明の詳細な説明】
【０００１】
【発明の属する技術分野】
本発明は、ストレートな筆毛とクリンプを有する筆毛を混毛してなる筆穂であって、特に、化粧用ブラシなどのチークブラシやフェイスブラシ、パウダーブラシ、フィニッシングブラシなどに適している。
【０００２】
【従来の技術】
従来、化粧ブラシなどの筆穂は、馬や鹿、豚、鼬、狸、栗鼠、貂、羊などの獣毛を使用しており、使用目的、使用者の好みなどによって筆穂の硬さ、太さなどを調整するために、上記獣毛の種類や組み合わせ方を変えて製品としている。一般的には、筆毛のテーパー形状が長くその表面状態が繊細でかつ肌当たりが柔らかい獣毛のみで作った筆穂の品質が良いとされている。特に、鼬毛、羊毛、貂毛がその代表である。しかし、獣毛は天然物であるため、品質が一定なものが得難いとか、任意の寸法形状のものとすることが困難であるとか、耐摩耗性が低いとかいった問題があり、更には、鼬、狸、貂の収穫量の減少による高価格化といった問題もある。
【０００３】
そこで、筆穂を形成する獣毛の代わりに合成樹脂製筆毛を用いることが行われている。合成樹脂製繊維の先端をテーパー化し、獣毛のような合成樹脂製筆毛となすためには、合成樹脂製繊維を溶解または分解する処理液に接触させる方法などが提案されている。（特許文献１参照、特許文献２参照）。
【０００４】
ところで、先端をテーパー化した合成樹脂製筆毛を用いた筆穂は、化粧料の保持力が低いといった問題や塗布した際、肌当たりがハードで使用感が悪いといった問題を有している。これを解決するために、獣毛と先端をテーパー化した合成樹脂製筆毛とを混毛してなる筆穂（特許文献３参照）や波状に皺曲（クリンプ）して、その波長が各々相違する多数の合成樹脂製筆毛よりなる筆穂（特許文献４参照）や、ポリエステル繊維を加水分解による加工法により得た４種のテーパー繊維を、テーパーの長い繊維を命毛に用い、その次にテーパーの長い繊維を喉に用い、テーパーの長さの中位の繊維を腹に用い、テーパーの短い繊維を腰に用いてにる筆穂（特許文献５参照）などが提案されている。
【０００５】
【特許文献１】
特公昭４９−６１５９号公報（特許請求の範囲）。
【特許文献２】
特公昭６０−３０５５６号公報（第３欄第２４行目〜第４欄１５行目）。
【特許文献３】
特開昭６３−１０２９９８号公報（特許請求の範囲）。
【特許文献４】
（実開昭６２−１１４７８１号公報（実用新案登録請求の範囲）。
【特許文献５】
実開昭５６−８３０７３号公報（実用新案登録請求の範囲）。
【０００６】
【発明が解決しようとする課題】
しかしながら、上記獣毛と先端をテーパー化した合成樹脂製筆毛とを混毛したものの場合、獣毛ゆえの欠点を合わせ持たざるを得ず、又、クリンプの波長が各々相違する多数の合成樹脂製筆毛よりなるものの場合、空間率が大きくなり易く、穂先が広がりすぎて、穂先のまとまりが劣る（バラケる）といった問題を有していた。また、４種のテーパー長さの違うポリエステル繊維よりなる筆穂は、全てストレートであって先端をテーパー化した繊維を用いるため穂先のまとまりは良いが、筆毛が密集過ぎて、化粧料の保持性が悪く、塗布時の肌当たりもハードになり使用感が悪いといった問題が残されていた。
本発明は、上記問題に鑑みなされたものであって、化粧料などを塗布する筆穂であって、化粧料の吐出性が良好で、また、塗布時の肌当たりが柔らかい筆穂を提供することを課題とするものである。
【０００７】
【課題を解決するための手段】
本発明は、ストレートな筆毛とクリンプを有する筆毛を混毛してなる筆穂であって、前記ストレートな筆毛を５〜３０重量％とすると共に、クリンプを有する筆毛を７０〜９５％としたことを要旨とするものである。
【０００８】
以下、本発明について説明する。図１において、参照符号１は化粧用筆穂であり、この筆穂１は、前軸４に挿入固定され、この前軸４は、後軸５の前端に挿入固定され筆を形成している。また、筆穂１は、先端をテーパー加工したストレートな小径の筆毛２と、先端をテーパー加工したクリンプを有する小径の筆毛３とを用いて長手方向に集束し、後端を熱溶着や接着剤による接着などの方法により固着して形成したものである。
【０００９】
筆毛２、３に使用している合成樹脂製の繊維材質としては、ポリアミド（６、６−ナイロン、６−ナイロン、１２−ナイロン、６，１０−ナイロン、６，１２−ナイロンなど）ポリエステル（ポリエチレンテレフタレート、ポリブチレンテレフタレートなど）、ポリウレタン、ポリアクリロニトリル、アクリロニトリル−スチレン共重合物、アクリロニトリル−ブタジエン共重合物などを用いることができるが、各筆毛の材質は同一であっても異なっていても良い。
【００１０】
前記合成樹脂製繊維の先端をテーパー化し筆毛となすには、前記したように、処理液による方法が好ましく、具体的一例としては、ポリアミドに対してメタクレゾールと塩化カルシウム−メタノール溶液との混和液、ポリエステルに対して水酸化ナトリウム水溶液などの組み合わせが挙げられる。但し、必ずしもこの方法に限定されるものではなく、例えば、合成樹脂製繊維に熱延伸を与えてテーパー状に引き伸ばしたり、グラインダー研磨など機械的にテーパー化するなどの他の方法を採用しても良い。
【００１１】
筆穂１に用いる筆毛の径（直径）は、製造用途又は大きさ（太さ及び長さ）によっても異なるが、本発明に係る化粧用の筆穂１における筆毛２、３は、０．０５〜０．０７ｍｍのものを用いることが好ましい。尚、ここでいう筆毛の径とは、テーパー加工されていない部分の径をいうものである。
【００１２】
ここで、前記ストレートな筆毛２を使用する目的は、塗布時の腰安定と筆穂のまとまりを良くする目的で使用するものである。その直径としては、０．０５ｍｍ〜０．０７ｍｍ程度が好ましい。その理由としては、直径が０．０５ｍｍに満たないとテーパー加工上、そのテーパーが形成されていない粗い毛が混入することがあり、直径が０．０７ｍｍを超えると塗布時の肌当たりがハードになり使用感が悪くなるからである。
又、筆穂１に占める使用割合としては、ストレートな筆毛２は、５〜３０重量％が好ましい。その理由は、ストレートな小径の筆毛が５重量％に満たないと腰が安定しにくく、腰砕けすることがあり、ストレートな筆毛２が３０重量％を超えると化粧料の保持性が悪くなったり、塗布時の肌当たりがハードになり使用感が悪くなるからである。
尚、筆毛は、直径が０．０５〜０．０７ｍｍの範囲であれば、何種類使用しても良い。
【００１３】
クリンプを有する筆毛３は、塗布時の化粧料の保持性及び肌当たりを柔らかくする目的のために使用するものであって、そのクリンプ状態としては種々のものが採用できる。その直径としては、０．０５ｍｍ〜０．０７ｍｍ程度が好ましい。その理由は、直径が０．０５ｍｍに満たないとテーパー加工上テーパーが形成されていない粗い毛が混入することがあり、直径が０．０７ｍｍを超えると塗布時の肌当たりがハードになり使用感が悪くなるからである。
又、筆穂１に占める割合としては、７０〜９５重量％が好ましい。その理由は、７０重量％に満たないと塗布時において、化粧料の保持性が悪いと共に、肌当たりがハードになり使用感が低下することがあり、９５重量％を超えると塗布時に筆穂がバラケたり割れたりすることがあるからである。
尚、筆毛３のクリンプのピッチＰは、１．５ｍｍ〜３．５ｍｍのものを、クリンプ高さＨは、０．０４ｍｍ〜０．１３ｍｍのものを用いることが好ましい。又、尚、筆毛の直径Ｄが０．０５〜０．０７ｍｍの範囲であれば、何種類使用しても良い。
【００１４】
本発明の化粧用筆穂を製造するに当たっては、上記２種類の筆毛を少なくとも混毛し、後端を溶着、接着又は、後部を糸などで縛って筆毛の脱落を防止して筆穂となす訳であるが、混毛された筆穂は、ストレートな筆毛２とクリンプを有する筆毛３とがお互いに均一に配列されていることが好ましい。
【００１５】
【実施例】
以下、実施例を説明する。
図１は、本発明の化粧用筆穂の使用例である筆を示すものである。参照符号１は、化粧用筆穂であり、後述する筆毛２，３を混毛し、その後部を溶着したものである。化粧用筆穂１は、前軸４に挿入固定され、この前軸４は、後軸５の前端に挿入固定され筆を形成している。
筆毛は、先端をテーパー加工したストレートな小径の筆毛２と、先端をテーパー加工したクリンプを有する小径な筆毛３とを用いるが、他の条件を表１に示す。
【００１６】
【表１】
2004174891.tif 000002
【００１７】
実施例１〜５
表２に実施例１〜４の筆穂の筆毛の配合を示す。
【表２】
2004174891.tif 000003
【００１８】
上記実施例１〜４及び比較例１，２の化粧用筆穂を用いて図１のように筆を形成し、塗布時の弾性試験（タッチ）及び化粧料の塗布試験をおこなった。
【００１９】
塗布時の弾性試験
方法：レオメーターに筆穂を６０度にセットし、ブラシ先端より１０ｍｍの位置まで速度２ｃｍ／ｍｉｎの速さで押し付けたときの変形荷重を測定した。
【００２０】
【表３】
2004174891.tif 000004
【００２１】
塗布試験（アンケート調査）
方法：任意に抽出した女性にチークブラシの使用性についてアンケート調査を実施した。
【００２２】
【表４】
2004174891.tif 000005
【００２３】
【発明の効果】
本発明に係る筆穂は、ストレートな筆毛とクリンプを有する筆毛を混毛してなる筆穂であって、前記ストレートな筆毛を５〜３０重量％とすると共に、クリンプを有する筆毛を７０〜９５％としたので、筆穂のまとまりが良く、また、使用感も柔らかく、しかも、化粧料の保持性が良いものが得られるものである。
【図面の簡単な説明】
【図１】本考案の一実施例の穂先を装着した筆の正面図である。
【図２】筆穂の拡大模式図である。
【符号の説明】
１      筆穂
２      先端をテーパー加工したストレートな小径の筆毛
３      先端をテーパー加工したクリンプ有する小径の筆毛
４      前軸
５      後軸
【図１】
2004174891.tif 000006
【図２】
2004174891.tif 000007